(57)【特許請求の範囲】
【請求項１】
送風を行い、前記送風が行われる空間からの吸気を行うことにより前記空間中の塵埃を除塵する除塵装置であって、
吸気された塵埃の濃度を示す集塵量を測定するセンシング部と、
前記測定された集塵量と、前記集塵量の測定時における前記除塵装置の所定の基準を満たす使用状況での集塵量の推定値と、を比較して、前記空間における前記除塵装置の使用状況が適切であるか否かを判定する判定部と、
前記判定された使用状況の適否に応じた情報を出力する出力部と、
を具備する除塵装置。
【請求項２】
前記除塵装置がおかれる使用条件毎の、所定の基準を満たす使用状況における集塵量の推定値を保持する記憶部、を更に具備し、
前記判定部は、前記測定された集塵量と、前記集塵量の測定時と同一の使用条件の前記推定値とを比較して、前記除塵装置の使用状況が適切であるか否かを判定する、
請求項１に記載の除塵装置。
【請求項３】
前記推定値には、粒径が第１の閾値未満の塵埃に対する第１の推定値、および、粒径が前記第１の閾値以上の塵埃に対する第２の推定値が含まれる、
請求項１に記載の除塵装置。
【請求項４】
前記判定部は、ユーザが前記空間に不在時の第１の期間に測定された集塵量と、前記第１の推定値とを比較する、
請求項３に記載の除塵装置。
【請求項５】
前記第１の期間は、前記測定される集塵量が最小となる時間帯を含む、
請求項４に記載の除塵装置。
【請求項６】
前記判定部は、ユーザが不在の状態で前記空間に入ってきたタイミングを開始とする第２の期間に測定された集塵量と、前記第２の推定値とを比較する、
請求項３に記載の除塵装置。
【請求項７】
前記タイミングは、前記測定される集塵量が第２の閾値未満の状態から、前記測定される集塵量の瞬間的な変動量が第３の閾値以上となるタイミングである、
請求項６に記載の除塵装置。
【請求項８】
前記判定部は、
ユーザが前記空間に不在になったタイミングから前記測定される集塵量が第４の閾値未満になるまでの時間と、前記送風の風量とに基づいて、前記空間の広さを推定し、
所定期間に測定された集塵量と、前記推定した空間の広さと同一の空間の広さを含む使用条件の前記推定値とを比較して、前記除塵装置の使用状況が適切であるか否かを判定する、
請求項２に記載の除塵装置。
【請求項９】
他の気流制御機器が使用されている第１のケースにおいて、
前記判定部は、ユーザが前記空間に不在時の第１の期間に、前記第１のケースおよび前記他の気流制御機器が使用されていない第２のケースでそれぞれ測定される前記集塵量の差分が所定の範囲内であり、かつ、ユーザが前記空間に存在時に、前記第１のケースで測定される前記集塵量が前記第２のケースで測定される前記集塵量よりも少ない場合、前記第１のケースにおける前記除塵装置の使用状況が適切ではないと判定する、
請求項１に記載の除塵装置。
【請求項１０】
前記測定された集塵量と、測定時の前記送風のパターンとを対応付けて記録する記録部、を更に具備し、
前記判定部は、所定期間に測定された集塵量と、前記測定時の送風のパターンと同一のパターンを含む使用条件の前記推定値とを比較して、前記除塵装置の使用状況が適切であるか否かを判定する、
請求項２に記載の除塵装置。
【請求項１１】
前記使用状況は、前記除塵装置の前記空間における設置位置である、
請求項１に記載の除塵装置。
【請求項１２】
前記使用状況は前記送風のパターンであって、
前記センシング部は、複数のパターンで前記送風を行った場合の前記集塵量を測定し、
前記判定部は、前記複数のパターンで測定された集塵量と、前記複数のパターンの各々と同一の前記使用条件の前記推定値とをそれぞれ比較し、前記複数のパターンの各々が適切であるか否かを判定する、
請求項２に記載の除塵装置。
【請求項１３】
前記判定部において適切であると判定された前記パターンを用いて、前記送風を制御する制御部を更に具備する、
請求項１２に記載の除塵装置。
【請求項１４】
前記ユーザが不在の期間には、他の気流制御機器が定常的に使用されている場合が含まれる、
請求項４に記載の除塵装置。
【請求項１５】
送風を行い、前記送風が行われる空間からの吸気を行うことにより前記空間中の塵埃を集塵する除塵装置において当該除塵装置の使用状況の適否をユーザに通知する通知方法であって、
集塵された塵埃の濃度を示す集塵量を測定し、
前記測定された集塵量と、前記集塵量の測定時における前記除塵装置の所定の基準を満たす使用状況での集塵量の推定値と、を比較して、前記空間における前記除塵装置の使用状況が適切であるか否かを判定し、
前記判定された使用状況の適否に応じた情報を出力する、
通知方法。
【発明の詳細な説明】
【技術分野】
【０００１】
本開示は、人や物に付着した塵埃や空気中を浮遊する塵埃を除去する除塵装置および通知方法に関する。
【背景技術】
【０００２】
従来、気流によって、空気中の塵埃の除去（以下「塵埃除去」という）を行うための技術は数多く存在し、空気清浄機または空気調和機などの除塵装置に応用されている。これらの除塵装置ではダストセンサまたは花粉センサなどのセンサを搭載し、センシングした結果に応じて塵埃除去処理を制御している（例えば、特許文献１を参照）。
【先行技術文献】
【特許文献】
【０００３】
【特許文献１】特許第３９５２３０９号公報
【発明の概要】
【発明が解決しようとする課題】
【０００４】
しかしながら、上述したような除塵装置が設置される居室での使用状況によっては除塵装置の本来の性能を発揮できずに集塵効率が低下してしまうことがある。
【０００５】
本開示の目的は、ユーザに対して除塵装置の使用状況が適切であるか否かを通知することができる除塵装置および通知方法を提供することである。
【課題を解決するための手段】
【０００６】
本開示の一態様に係る除塵装置は、送風を行い、前記送風が行われる空間からの吸気を行うことにより前記空間中の塵埃を除塵する除塵装置であって、吸気された塵埃の濃度を示す集塵量を測定するセンシング部と、前記測定された集塵量と、前記集塵量の測定時における前記除塵装置の所定の基準を満たす使用状況での集塵量の推定値と、を比較して、前記空間における前記除塵装置の使用状況が適切であるか否かを判定する判定部と、前記判定された使用状況の適否に応じた情報を出力する出力部と、を具備する構成を採る。
【０００７】
本開示の一態様に係る通知方法は、送風を行い、前記送風が行われる空間からの吸気を行うことにより前記空間中の塵埃を集塵する除塵装置において当該除塵装置の使用状況の適否をユーザに通知する通知方法であって、集塵された塵埃の濃度を示す集塵量を測定し、前記測定された集塵量と、前記集塵量の測定時における前記除塵装置の所定の基準を満たす使用状況での集塵量の推定値と、を比較して、前記空間における前記除塵装置の使用状況が適切であるか否かを判定し、前記判定された使用状況の適否に応じた情報を出力する。
【０００８】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、ユーザに対して除塵装置の使用状況が適切であるか否かを通知することができる。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】実施の形態１に係る除塵装置の構成の一例を示すブロック図
【図２】実施の形態１に係る除塵装置の動作の一例を示すフローチャート
【図３】実施の形態１に係る除塵装置が記録した１日の集塵量の変化の一例を示す図
【図４】実施の形態１に係る除塵装置における集塵量の時間変化の一例を示す図
【図５】実施の形態１に係る居室の広さと重い塵埃の量と、除塵装置の集塵効率との関係を示す図
【図６】実施の形態１に係る居室の広さと軽い塵埃の量と、除塵装置の集塵効率との関係を示す図
【図７】実施の形態２における除塵装置の動作の一例を示すフローチャート
【発明を実施するための形態】
【００１２】
以下、本開示の各実施の形態について、図面を参照して詳細に説明する。
【００１３】
なお、以下の説明において、「塵埃」とは、埃、花粉等の人や物の表面に付着し易い、または、空気中を浮遊し易い、細かい粒子状の物質であって、居室などの除塵対象となる所定のエリアから除去することが望ましい物質を指す。
【００１４】
また、以下の説明では、塵埃は、「軽い塵埃」と「重い塵埃」とに区別される。
【００１５】
「軽い塵埃」とは、空間内の気流の変動がほとんどない安定状態でも床などに自由落下せずに空気中を浮遊し続けるような物質である。「軽い塵埃」の一例として、ＰＭ２．５など概ね１０μｍ未満の粒径を有する物質が挙げられる。
【００１６】
また、「重い塵埃」とは、空間内の気流の変動がほとんどない安定状態では、空気中を浮遊し続けずに床などに自由落下するような物質である。また、「重い塵埃」は、例えば、床などに溜まっている状態で人の活動（居室内の移動など）によって空気中に舞い上がるものの、後述する除塵装置１００の送風では空気中にほとんど舞い上がらずに床などに溜まったままの塵埃を指す。「重い塵埃」の一例として、花粉、繊維埃など概ね１０μｍ以上の粒径を有する物質が挙げられる。
【００１７】
なお、軽い塵埃と重い塵埃との区別の基準（第１の閾値に相当）として用いた粒径１０μｍは一例であって、この基準値に限定されるものではない。軽い塵埃と重い塵埃とは、例えば、除塵装置１００の性能に応じて（例えば、送風によって空気中に舞い上がるか否かに応じて）、区別されてもよい。
【００１８】
また、以下の説明では、「塵埃量」とは、空間（例えば居室）中の塵埃の濃度を示し、例えば、１ｍ３あたりの塵埃の量［ｇ］を示す。
【００１９】
（実施の形態１）
［除塵装置１００の構成］
図１は、本実施の形態に係る除塵装置の構成の一例を示すブロック図である。
【００２０】
除塵装置１００は、気流を生じさせる送風を行い、送風が行われる空間（以下では居室）からの吸気を行うことにより、居室の空気中の塵埃を集塵する。除塵装置１００は、例えば、居室に設置される空気清浄機である。また、ユーザは、除塵装置１００の設置位置を変更可能であるものとする。
【００２１】
図１において、除塵装置１００は、センシング部１０１、集塵量記録部１０２、統計情報記憶部１０３、判定部１０４、出力部１０５を有する。
【００２２】
センシング部１０１は、除塵装置１００によって集塵された塵埃量（濃度）を示す集塵量を測定（センシング）する。例えば、センシング部１０１は、光を用いて集塵量を測定するセンサである。このセンサとしては、除塵装置１００が備えるフィルタ（図示せず）に付着した塵埃を電気的または化学的に検出するセンサなども挙げられる。このセンサには、例えば、軽い塵埃および重い塵埃の何れか一方または双方を検知可能なダストセンサ、または、光を当てて生じる影に基づいて花粉を検知する花粉センサなどが含まれる。センシング部１０１は、測定した集塵量を集塵量記録部１０２に出力する。
【００２３】
集塵量記録部１０２は、センシング部１０１から入力される所定期間の集塵量を積算し、積算結果（以下、集塵ログと呼ぶこともある）を記録する。また、集塵量記録部１０２は、所定期間の積算結果と、当該期間における送風パターンとを対応付けて集塵ログとして記録してもよい。送風パターンは、例えば、風量、風向き、送風タイミング、送風時間などの組み合わせによって表される。集塵量記録部１０２は、記録している情報を判定部１０４へ出力する。
【００２４】
また、集塵量記録部１０２は、集塵ログを、除塵対象の居室の大きさ、形状などを示すレイアウト情報と対応付けて記録してもよい。居室の大きさ、形状などのレイアウト情報は、入力インタフェースを介してユーザによって手動入力されてもよく、距離センサ（図示せず）によって自動取得されてもよい。なお、居室の大きさは、集塵量記録部１０２が記録する場合に限定されず、判定部１０４によって推定されてもよい（詳細は後述する）。
【００２５】
統計情報記憶部１０３は、送風パターン、居室の広さ、居室内のレイアウトなどを含む除塵装置１００がおかれる使用条件毎に測定される集塵量の統計データを保持（記憶）する。
【００２６】
この統計データには、様々な広さの居室での様々な送風パターンによって送風した際に測定される塵埃量に基づいて、除塵装置１００が本来有する集塵性能を実際にどれくらい発揮しているか（つまり、集塵効率）の判定に使用できる形式に変換された情報が含まれる。すなわち、統計データは、除塵装置１００がおかれる使用条件（居室の広さ、送風パターンなどの組み合わせ）毎の適切な使用状況（例えば、設置位置など）における除塵装置１００での集塵量の推定値を表す。例えば、統計データには、どのような送風パターンで動作させれば、どのような居室（広さ、レイアウト）においてどのような塵埃（軽い塵埃、重い塵埃）が、適切な使用状況において除塵装置１００を動作させた場合にどの程度（集塵量）の塵埃が集塵されるかを示すデータが含まれる。また、統計データには、異なる季節のデータ（集塵量）が含まれてもよい。例えば、統計データには、季節に応じて使用が想定される他の気流制御機器（エアコン、扇風機、換気扇など）の使用の有無にそれぞれ対応するデータが含まれてもよい。
【００２７】
判定部１０４は、集塵量記録部１０２から入力される情報から、センシング部１０１での集塵量の測定時と同一の使用条件（送風パターン、居室の広さ等）の統計データを統計情報記憶部１０３から取得する。そして、判定部１０４は、塵埃量１０２から入力される集塵量の測定値と、統計情報記憶部１０３から入力される集塵量の統計データとを比較して、居室における現在の除塵装置１００の使用状況（ここでは除塵装置１００の設置位置）が適切であるか否かを判定する。換言すると、判定部１０４は、除塵装置１００が効率的に動作しているか否かを判定する。
【００２８】
例えば、軽い塵埃に対して、判定部１０４は、ユーザの不在期間中に測定される集塵量を用いて除塵装置１００の使用状況の適否を判定する。また、重い塵埃に対して、判定部１０４は、ユーザが不在の状態から居室に入ってきたタイミングを開始とする期間中に測定される集塵量を用いて除塵装置１００の使用状況の適否を判定する。なお、判定部１０４における判定処理の詳細な説明については後述する。
【００２９】
出力部１０５は、判定部１０４から入力される判定結果（除塵装置１００の使用状況の適否）に応じた情報を表示する。例えば、出力部１０５は、除塵装置１００の現在の設置位置が不適切であること、または、適切であることを示してもよい。また、出力部１０５は、除塵装置１００を何れの方向に移動させると効率が向上するかを示してもよい。または、出力部１０５は、居室のレイアウトが分かる場合には、除塵装置１００の最適な設置位置を示してもよい。
【００３０】
なお、出力部１０５での表示に用いる出力インタフェースは、ランプまたはディスプレイ等が挙げられる。また、除塵装置１００において、ユーザに判定部１０４で判定された除塵装置１００の使用状況の適否に応じた情報を通知する方法は、当該情報を表示することに限定されない。例えば、出力部１０５は、判定部１０４で判定された除塵装置１００の使用状況の適否に応じた情報を、音によって出力してもよい。さらに、除塵装置１００は、通信機能等により外部のデバイス（携帯機器や他の表示装置など）に情報を出力し、外部のデバイスを介してユーザに通知してもよい。
【００３１】
除塵装置１００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリを有する。また、除塵装置１００は、他の機器との連携やクラウドなどネットワークに接続するために通信回路を有してもよい。また、除塵装置１００は、図示しないが、例えば、上記ＣＰＵにより動作を制御することが可能な空気ファン、空気吹出口および吸い込み口を有する。この場合、上記した各部の機能は、ＣＰＵが制御プログラムを実行することにより実現される。
【００３２】
［除塵装置１００の動作］
次に、上述した除塵装置１００の動作について詳細に説明する。
【００３３】
図２は、除塵装置１００の動作の一例を示すフローチャートである。
【００３４】
図２において、ステップ（以下、「ＳＴ」と呼ぶ）１０１では、判定部１０４は、集塵量記録部１０２から入力される集塵ログを用いて、除塵対象となる居室におけるユーザの不在期間を特定する。また、判定部１０４は、集塵量記録部１０２から入力される集塵ログを用いて、除塵対象となる居室において不在状態からユーザが居室に入ってきたタイミングを特定する。
【００３５】
例えば、判定部１０４は、集塵量記録部１０２に記録された、所定期間（例えば１週間）の集塵ログを用いて、ユーザの在室および不在の傾向を解析する。
【００３６】
一般に、ユーザが居室に在室し、活動している場合には床に溜まった塵埃が空気中に舞い上がり、空気中の塵埃量が増加するため、除塵装置１００で測定される集塵量が増加する傾向にある。一方、ユーザが居室に不在の場合には居室内の空気の流れが少なくなり、空気中の重い塵埃が床などに落下し、空気中の塵埃量が減少するため、除塵装置１００の集塵量が減少する傾向にある。
【００３７】
上記傾向を踏まえ、判定部１０４が特定する「不在期間」とは、居室内の気流の変動が少なく安定した状態であり、重い塵埃が床などに落下しきった状態の期間をいう。換言すると、「不在期間」では、空気中に軽い塵埃が多く存在し、重い塵埃が少ない状態となる。ここで、本明細書における「不在期間」とは、必ずしも厳密な意味でユーザが居室にいない場合のみに限定される必要はなく、居室の空気中の塵埃が、上記ユーザが不在である場合と同様な状態になることが期待される場合を含んでもよいものとする。
【００３８】
また、判定部１０４が特定する「ユーザが居室に入ってくるタイミング」では、上記不在期間において重い塵埃が床などに落下しきった状態から、ユーザの居室への侵入により重い塵埃が空気中に舞い上がる状態となる。
【００３９】
以下、ユーザの不在期間、および、ユーザが居室に入ってくるタイミングの特定方法の一例について説明する。
【００４０】
図３は集塵量記録部１０２が記録した集塵量の一日の変化の一例を表す図である。なお、図３では、除塵装置１００の除塵対象となる居室においてユーザが寝起き、および、普段の活動を行っている場合を想定している。
【００４１】
図３に示すように、期間３０１および３１１ではユーザが睡眠中であり、ユーザの活動が少ないので、集塵量は比較的少ない。また、期間３０２、３０３、３０５〜３１０ではユーザが居室で活動中であり、集塵量は比較的多くなる。これらの期間における集塵量は、エアコン、扇風機などの他の気流制御機器または窓の開放状態によって生じる除塵装置１００に対する外乱、および、ユーザの活動内容（移動、窓の開閉など）に応じて変動する。例えば、図３に示すように、起床時または就寝前では、布団の出し入れによって布団に溜まっていた花粉などが一斉に空気中に舞い上がるため、集塵量が急激に増加しているのが分かる。
【００４２】
このように、外乱またはユーザの活動が発生する期間では、除塵装置１００以外の他の要因に依存して、除塵装置１００の集塵量が変化する。よって、除塵装置１００が本来有する性能がどの程度発揮されているか（集塵効率）の評価をする際には外乱およびユーザの活動による集塵量への影響を除外することが好ましい。つまり、外乱およびユーザの活動が発生しないことが想定されるユーザの不在期間において、除塵装置１００の集塵効率の評価が行われることが好ましい。
【００４３】
そこで、まず、ユーザの不在期間の特定に関して、図３に示す期間３０４に着目する。
【００４４】
期間３０４では、集塵量が他の期間と比較して非常に少なくなっていることが分かる。これは、ユーザが外出して、重い塵埃が床などに落下し、空気中の塵埃量が少なくなっているためと考えられる。すなわち、期間３０４には、１日の中で空気中の集塵量が最も少なくなる期間が含まれる。
【００４５】
そこで、判定部１０４は、集塵ログにおいて集塵量が最も少ない時間帯を含む期間を不在期間として特定する。例えば、判定部１０４は、１日の集塵ログにおいて、集塵量が最小となるタイミング（時間帯）を検出し、検出した時間帯の前後の連続する期間であって、集塵量の最小値の所定数倍（例えば最小値の２倍の値）以内の集塵量に相当する期間を、不在期間として特定してもよい。
【００４６】
判定部１０４は、上記の不在期間の特定を例えば１週間分の集塵ログに対してそれぞれ行うことにより、１日のうちで居室の気流が安定状態となる期間（ユーザが１日の中で不在となる確率が高い期間）として特定される不在期間の推定精度を向上させることができる。例えば、判定部１０４は、各日に不在期間として推定された期間のうち重複する期間を、後述する集塵効率の評価において使用する不在期間として特定してもよい。
【００４７】
除塵装置１００は、この不在期間において集塵処理を行うことで、軽い塵埃の集塵量を精度良く測定することが可能となる。
【００４８】
次に、ユーザが居室に入ってくるタイミングに関して、図３に示す期間３０５に着目する。
【００４９】
ユーザが帰宅し、居室に入ってくると、ユーザの移動、または、ドアの開閉などによる気流の変動によって、不在時（期間３０４）に床に落下していた塵埃が空気中に舞い上がり、期間３０５では集塵量が増加する。除塵装置１００がこのタイミングで舞い上がった塵埃を吸引することにより、重い塵埃の集塵量が急激に増加することになる。
【００５０】
そこで、判定部１０４は、ユーザが居室に入ってきたタイミングを、集塵量の時間変化に基づいて特定する。例えば、判定部１０４は、集塵量が非常に少ない状態（所定の閾値（第２の閾値に相当）未満の状態。例えば、不在期間）から、測定される集塵量の瞬間的な変動量（増加分）が所定の閾値（第３の閾値に相当）以上となるタイミング（図３では期間３０５の開始タイミング）を、ユーザの帰宅時（ユーザが居室に入ってくるタイミング）として特定する。例えば、判定部１０４は、１週間分の集塵ログにおける不在期間（期間３０４）の集塵量とユーザが帰宅時（期間３０５）の集塵量との差分（変動量）の平均値を、上記ユーザの帰宅時を特定するための閾値として設定してもよい。
【００５１】
このように、判定部１０４は、ユーザの不在時（軽い塵埃および重い塵埃の集塵量の双方とも非常に少ない状態）から重い塵埃の集塵量の急激な増加が確認されたタイミングを、ユーザが居室に入ってきたタイミングとして特定する。これにより、除塵装置１００は、このタイミングで測定を開始することで、不在期間に床面などに溜まっていた重い塵埃の集塵量を精度良く測定することが可能となる。
【００５２】
以上、ユーザの不在期間、および、ユーザが居室に入ってくるタイミングの特定方法の一例について説明した。
【００５３】
図２に戻り、ＳＴ１０２では、センシング部１０１は、居室の空気中に存在する軽い塵埃の集塵量を測定する。具体的には、センシング部１０１は、ＳＴ１０１で特定されたユーザの不在期間内において、大風量（例えば、最大風量）の送風によって集塵処理を所定期間行い、集塵量を測定する。
【００５４】
上述したように、ＳＴ１０１で特定された「不在期間」では、重い塵埃が床などに落下しきっている状態である。また、床などに溜まっている重い塵埃は、ＳＴ１０２での除塵装置１００の送風によって空気中に舞い上がることはほとんどないものと考えられる。よって、センシング部１０１は、ＳＴ１０１で特定された不在期間において集塵処理を行うことにより、「重い塵埃」を含まない空気中に存在する「軽い塵埃」の集塵量を精度良く測定することができる。
【００５５】
また、センシング部１０１は、ユーザの不在期間において集塵処理を行うことにより、ユーザの活動（移動または窓、ドアの開閉など）またはユーザが在室中に動作するような他の気流制御機器（例えば、エアコン、扇風機）に起因する気流の影響を除外して、軽い塵埃の集塵量を測定することができる。
【００５６】
ＳＴ１０２で測定された集塵量は、集塵量記録部１０２において、「軽い塵埃量」として記録される。
【００５７】
なお、ＳＴ１０２において除塵装置１００が大風量で送風を行う期間は、例えば、ＳＴ１０１で特定されたユーザの不在期間において、集塵量が所定の閾値以下になるタイミングから所定期間（例えば、３０分間）でもよい。
【００５８】
また、ＳＴ１０２では、判定部１０４は、除塵装置１００が設置される居室の広さを推定するために、居室全体の塵埃を集塵（吸引）するのに要した時間（以下、「換気時間」と呼ぶこともある）を計測する。
【００５９】
図４は、除塵装置１００が送風を継続した場合に、動作時間とともに集塵量がどの様に変化するかを表したグラフである。図４に示すように、除塵装置１００では、大風量の送風を一定時間継続することで集塵量は０にはならないものの所定量に収束していく（漸近する）。そして、集塵量が所定量に達するとそれ以降の集塵量の低下度合いが非常に小さくなる（以下、「収束状態」と呼ぶこともある）。この収束状態は、除塵装置１００において空気中の塵埃を完全に取り去ることはできないが、概ね除去できた状態と云える。
【００６０】
なお、除塵装置１００の現在の設置位置によっては集塵効率が悪い状態も想定される。ただし、除塵装置１００の集塵効率の良し悪しによって、図４に示す動作時間に対する集塵量の収束速度が異なるものの、最終的に同程度の集塵量に収束する。すなわち、除塵装置１００の集塵効率の良し悪しは、居室の広さの推定精度への影響は少ない。
【００６１】
ここで、動作開始から収束状態になるまでに要する時間は、居室の広さと除塵装置１００の風量とに関係する。居室の空気が順番に除塵装置１００に吸引されていき、一度吸引された空気が除塵装置１００によって再び吸引されることはないと仮定した場合、居室の空気を全て吸引するのに要する時間（換気時間）と、居室の広さと除塵装置１００の風量との関係は、以下のように表すことができる。
(換気時間)［min］＝(居室の広さ)［m3］/(空気清浄機の風量)［m3/min］
【００６２】
実際には除塵装置１００に一度吸引された空気が再び吸引されることも起こるので、実際の上記パラメータの関係は上式とは等しくはならない。ただし、実際の場面においても、一定の除塵装置１００の風量に対して、居室の広さと集塵に要する時間とには比例関係があると見なすことができる。このことを利用することで、判定部１０４は、次式に従って、換気時間と除塵装置１００の風量とを用いて、居室の広さを推定することができる。
(居室の広さ)［m3］∝(空気清浄機の風量)［m3/min］×(換気時間)［min］
【００６３】
このように、判定部１０４は、ユーザが居室に不在になったタイミングから測定される塵埃量が所定の閾値（第４の閾値に相当）未満（収束状態）になるまでの時間と、その際の除塵装置１００の送風の風量とに基づいて、居室の広さを推定する。判定部１０４がユーザの不在期間中に居室の広さを推定することにより、ユーザの活動または他の気流制御機器の影響を除外できるので、居室の広さの推定精度を向上させることができる。なお、部屋の広さはユーザが入力してもよい。そうすることでより集塵効率の評価の精度を高めることができる。
【００６４】
図２に戻り、ＳＴ１０３では、センシング部１０１は、居室に存在する重い塵埃の集塵量を測定する。上述したように、床などに落下している重い塵埃は、上記除塵装置１００の送風では空気中に舞い上がることはほぼないものの、ユーザの活動によって空気中に舞い上がるものと考えられる。そこで、センシング部１０１は、ＳＴ１０１において特定したユーザが居室に入って来たタイミング（帰宅した直後のタイミング）で大風量（例えば、最大風量）の送風によって集塵処理を所定期間行い、集塵量を測定する。
【００６５】
例えば、図４に示すようにユーザが不在の間に空気中に存在する「軽い塵埃」は除塵装置１００によって概ね除去されている。このため、ユーザの不在時に床などに溜まっている塵埃の量は、重い塵埃の総量に比例すると考えられる。つまり、ユーザが居室に入ってきたタイミングで除塵装置１００によって集塵される塵埃には、不在期間中に床に溜まっていた「重い塵埃」が大部分を占めるものと想定される。これにより、センシング部１０１は、「重い塵埃」の集塵量を精度良く測定することができる。
【００６６】
また、ユーザが居室に入ってくるタイミングでのユーザの活動量、および、他の気流制御機器の動作状況は毎回ほぼ同程度であることが想定される。すなわち、除塵装置１００は、ユーザが居室に入ってくるタイミングで集塵量の測定を開始することにより、他のタイミングと比較して、ユーザの活動量の影響を抑えて、重い塵埃の集塵量を測定することができる。
【００６７】
なお、居室に入ってくるユーザの検知は、焦電センサなどの人・動きセンサを利用してもよい。この場合、人を正確に検知することが可能となるので、除塵装置１００は、ユーザの入ってきたタイミングで大風量の送風を行い、集塵量を測定することで、重い塵埃の集塵量を正確に測定することができる。
【００６８】
ＳＴ１０４では、判定部１０４は、ＳＴ１０２およびＳＴ１０３で測定した集塵量と、統計情報記憶部１０３（データベース）に記録されている統計データとを比較し、除塵装置１００の現在の設置位置が適切であるか否かを判定する。すなわち、判定部１０４は、設置位置における除塵装置１００の集塵効率を評価する。
【００６９】
まず、判定部１０４は、ＳＴ１０２で推定した居室の広さ、および、ＳＴ１０２、ＳＴ１０３での送風パターンに対応する統計データ（集塵量）を統計情報記憶部１０３から取得する。ここで、統計情報記憶部１０３には、様々な広さの居室でのＳＴ１０２，ＳＴ１０３と同様の方法（送風パターンなど）で測定された集塵量（軽い塵埃の量および重い塵埃の量）の統計データが記録されている。この統計データは、対応する居室の広さにおける標準的な集塵量を示す。そこで、判定部１０４は、集塵量測定時における除塵装置１００の適切な使用状況での集塵量の推定値（基準値）として統計データを用いて、当該統計データと、測定される集塵量とを比較することにより、除塵装置１００の使用状況が適切であるか否かを判定する。すなわち、「適切」な使用状況とは、統計データ等に基づく基準と測定される集塵量とを比較した場合の差異が、所定の範囲内に収まっている状況を言う。
【００７０】
具体的には、判定部１０４は、取得した軽い塵埃の集塵量に関する統計データと、ＳＴ１０２で測定された集塵量（ＳＴ１０１で特定された不在期間に測定された塵埃量）とを比較することにより、軽い塵埃について除塵装置１００の集塵効率を評価する。また、判定部１０４は、取得した重い塵埃の集塵量に関する統計データと、ＳＴ１０３で測定された集塵量（ユーザが不在の状態で居室に入ってきたタイミングを開始とする期間に測定された塵埃量）とを比較することにより、重い塵埃について除塵装置１００の集塵効率を評価する。
【００７１】
図５は、統計情報記憶部１０３に記録された重い塵埃の集塵量ｄＨに対する、居室の広さと判定部１０４における評価結果との関係を表す。また、図６は、統計情報記憶部１０３に記録された軽い塵埃の集塵量ｄＬに対する、居室の広さと判定部１０４における評価結果との関係を表す。なお、図５および図６では説明を簡略にするために、統計データが居室の広さのみに対応している場合（つまり、送風パターンが固定の場合）について説明する。
【００７２】
例えば、統計データと比較して、測定された集塵量が少ない場合には、判定部１０４は、現在の設置位置における除塵装置１００の集塵効率が「悪い」と判定する。一方、統計データと比較して、測定された集塵量が多い場合には、判定部１０４は、現在の設置位置における除塵装置１００の集塵効率が「良い」と判定する。また、統計データと比較して、測定された集塵量が同程度の場合、判定部１０４は、現在の設置位置における除塵装置１００の集塵効率が「標準」的であると判定してもよい。
【００７３】
例えば、ＳＴ１０２において推定された居室の広さが８畳（約１３ｍ２）とする。また、ＳＴ１０２で測定された軽い塵埃の集塵量ｄＬが０．１［ｇ］であり、ＳＴ１０３で測定された重い塵埃の集塵量ｄＨが０．６［ｇ］であるとする。この場合、図５に示すように、判定部１０４は、除塵装置１００の重い塵埃に対する集塵効率が「悪い」と判定する。また、図６に示すように、判定部１０４は、除塵装置１００の軽い塵埃に対する集塵効率が「悪い」と判定する。この場合、判定部１０４は、除塵装置１００の現在の設置位置が適切ではないと判定する。換言すると、判定部１０４は、除塵装置１００が本来有する性能を出し切れていないと判定する。つまり、判定部１０４は、除塵装置１００が本来有する性能に対して、８畳の居室の広さでは更に集塵が可能であると判定する。
【００７４】
なお、判定部１０４は、重い塵埃の集塵量に対する判定結果（図５参照）および軽い塵埃の集塵量に対する判定結果（図６参照）の何れか一方でも「悪い」と判定された場合に、除塵装置１００の集塵効率が「悪い」と判定してもよい。または、判定部１０４は、重い塵埃および軽い塵埃のうち、集塵効率を重視する塵埃の集塵量に対する判定結果のみに従って除塵装置１００の集塵効率を判定してもよい。例えば、ユーザが花粉（重い塵埃の一例）の除塵を重視する場合、判定部１０４は、重い塵埃の集塵量に対する判定結果（図５参照）が「悪い」と判定された場合、除塵装置１００の重い塵埃の集塵効率が悪いと判定する。
【００７５】
図２に戻り、ＳＴ１０５では、出力部１０５は、ＳＴ１０４での判定部１０４の判定結果に応じて、ユーザに対するアドバイスを表示する。例えば、ＳＴ１０４での判定結果が「悪い」である場合、出力部１０５は、除塵装置１００の設置位置が不適切であることを表す表示を行う。出力部１０５は、除塵装置１００の設置位置が不適切であることを、例えば、ランプの色によって表してもよく、または、ディスプレイにメッセージを表示してもよい。
【００７６】
これにより、ユーザは、除塵装置１００の現在の設置位置が不適切であることを知ることができ、除塵装置を新たな場所に移すことができる。
【００７７】
また、除塵装置１００が新たな場所に設置された場合、除塵装置１００は、図２に示すＳＴ１０１〜ＳＴ１０５の処理を新たに行うことにより、新たな設置位置での除塵装置１００の集塵効率を判定する。判定結果が「良い」である場合、出力部１０５は、除塵装置１００の設置位置が適切であることを表す表示を行う。これにより、ユーザは、除塵装置１００の現在の設置位置が適切であることを知ることができる。
【００７８】
このようにして、除塵装置１００が、除塵装置１００の設置位置における集塵効率の評価をユーザに通知することにより、ユーザに対して、除塵装置１００の本来の性能を発揮できる場所への設置を促すことができる。これにより、除塵装置１００は、適切な設置位置において効率良く塵埃を除去することができる。
【００７９】
なお、統計情報記憶部１０３が保持する集塵量の統計データは、除塵装置１００の使用条件として、図５および図６に示すような居室の広さのみを用いる場合に限らない。例えば、除塵装置１００の使用条件として、送風パターン、居室のレイアウト情報、除塵装置１００の配置情報、除塵装置１００の使用時期（季節）、その他気流制御機器の動作状況などの組み合わせが用いられてもよい。この場合、判定部１０４は、ＳＴ１０２，ＳＴ１０３での集塵処理時の居室の広さに加え、送風パターン、居室のレイアウトおよび除塵装置１００の設置位置などを含む使用条件が同一の統計データを取得し、測定された集塵量との比較に使用する。これにより、除塵装置１００は、測定される集塵量に対して、より細かい使用条件に対応する統計データとの比較を行うことができるので、除塵装置１００の集塵効率の評価精度を向上させることができる。
【００８０】
また、判定部１０４は、測定された集塵量と使用条件が同一の統計データを用いる場合に限定されず、測定された集塵量と使用条件と完全に一致している使用条件が無い場合には、測定時の使用条件が似ている同程度の使用条件の統計データを用いてもよい。
【００８１】
このような除塵装置１００によれば、除塵装置１００の設置場所に関しての正しい知識を有さないユーザに対して除塵装置１００の設置位置が適切であるか否かを通知することができる。これにより、除塵装置１００は塵埃除去を効率良く行うことができる。
【００８２】
（実施の形態２）
本実施の形態に係る除塵装置は、実施の形態１に係る除塵装置１００と基本構成が共通するので、図１を援用して説明する。
【００８３】
エアコンまたは扇風機などの除塵装置１００以外の他の気流制御機器が発生させる気流は、除塵装置１００が想定している気流を妨げて集塵効率に悪影響を与える場合も、除塵装置１００の気流との組み合わせによって、除塵装置１００の集塵効率に対して良い影響を与える場合も考えられる。また、エアコンなどは、頻繁に使用される季節（例えば、日本では夏（７〜９月）、冬（１２〜３月））とそれほど使用されない季節とがある。
【００８４】
よって、除塵装置１００の集塵効率は、同一の設置位置であっても、エアコンなどを頻繁に使用する季節と、それほど使用しない季節とで異なる場合がある。換言すると、居室でのエアコンなどの使用状況に応じて、除塵装置１００の適切な設置位置が異なる場合がある。
【００８５】
そこで、本実施の形態では、エアコンなどの除塵装置１００以外の他の気流制御機器による除塵装置１００の集塵効率への影響を考慮して、除塵装置１００の集塵効率を評価する場合について説明する。
【００８６】
なお、気流制御機器の一例であるエアコンの気流は定常的であるものとする。また、除塵装置１００には、エアコンが頻繁に使用される時期（例えば、７〜９月、１２〜３月）と、エアコンが頻繁には使用されない時期（例えば、４〜６月、１０〜１１月）と、が予め設定されているか、ユーザまたは外部装置から入力されるものとする。
【００８７】
また、除塵装置１００の統計情報記憶部１０３には、エアコンが頻繁に使用される時期と、エアコンが頻繁には使用されない時期とにおける除塵装置１００の集塵量の統計データが記憶されているものとする。
【００８８】
図７は、本実施の形態に係る除塵装置１００の動作の一例を示すフローチャートである。なお、図７において、実施の形態１（図２）と同様の処理には同一の符号を付し、その説明を省略する。
【００８９】
図７に示す動作は、例えば、エアコンが頻繁に使用される時期に行われる。
【００９０】
ＳＴ２０１では、センシング部１０１は、エアコンが頻繁に使用される時期において、ユーザが在室中の安定状態における集塵量を推定する。ここで、ユーザが在室中の安定状態とは、例えば、ユーザの活動量が少なく、かつ、一時的な外乱（窓の開閉など）が無い状態である。例えば、判定部１０４は、ユーザが在室中の集塵量の平均値となる期間を、ユーザが在室中の安定状態の期間として推定してもよい。このようなユーザが在室中の安定状態では、定常的に動作しているエアコンが除塵装置１００の集塵効率に対して与える影響がより大きく反映されていることが想定される。
【００９１】
ＳＴ２０２では、判定部１０４は、実施の形態１の処理に加え、ＳＴ２０１で測定された、ユーザが在室中の安定状態における集塵量と、統計情報記憶部１０３に記録された統計データとを比較する。ユーザが在室中の安定状態における集塵量との比較に使用される統計データは、エアコンが頻繁には使用されない時期におけるユーザが在室中の安定状態での集塵量を示すデータである。
【００９２】
更に、判定部１０４は、ＳＴ１０２で測定したユーザの不在時（上述した不在期間）での集塵量と、統計情報記憶部１０３に記録された統計データとを比較する。なお、ユーザの不在時とは、エアコンが頻繁に使用される時期ではあるものの、ユーザが不在であり、エアコンも使用されていない状態を想定している。また、ユーザの不在時での集塵量との比較に使用される統計データは、エアコンが頻繁には使用されない時期におけるユーザが不在時の集塵量を示すデータである。
【００９３】
そして、判定部１０４は、ユーザが在室中の安定状態での比較結果と、ユーザが不在時での比較結果に基づいて、除塵装置１００の集塵効率を評価する。具体的には、判定部１０４は、エアコンが頻繁に使用される時期と、エアコンが頻繁には使用されない時期とでユーザの不在時の集塵量の差分がほとんどなく（所定の範囲内であり）、かつ、エアコンが頻繁に使用される時期のユーザが在宅時の集塵量が、エアコンが頻繁には使用されない時期のユーザが在宅時の集塵量よりも少ない場合、除塵装置１００の設置位置が適切ではないと判定する。つまり、この場合、判定部１０４は、エアコンの気流に起因して除塵装置１００の集塵効率が悪くなっていると判定する。
【００９４】
この場合、ＳＴ１０５では、出力部１０５は、除塵装置１００の現在の設置位置が不適切であること、または、除塵装置１００の設置位置の変更を促す表示を行う。
【００９５】
また、出力部１０５は、エアコンが頻繁に使用される時期が終わると（エアコンが頻繁には使用されない時期になった場合）、除塵装置１００の設置位置を元に戻すことを促す表示を行ってもよい。
【００９６】
このように、他の気流制御機器が使用されている季節（第１のケース）において、除塵装置１００（判定部１０４）は、ユーザが居室に不在時の期間（不在期間）に、第１のケース、および、他の気流制御機器が使用されていない季節（第２のケース）でそれぞれ測定される集塵量の差分が所定の範囲内であり、かつ、ユーザが空間に存在時に、第１のケースで測定される集塵量が第２のケースで測定される集塵量よりも少ない場合、第１のケースにおける除塵装置の使用状況が適切ではないと判定する。
【００９７】
こうすることで、除塵装置１００以外の他の気流制御機器が発生させる気流も考慮して、除塵装置１００の設置位置が適切であるか否かをユーザに通知することができる。これにより、除塵装置１００は他の気流制御機器の使用状況に応じて塵埃除去を効率良く行うことができる。
【００９８】
また、本実施の形態では、他の気流制御機器が使用される際の除塵装置１００の集塵効率を評価する場合について説明したが、他の気流制御機器が使用されない場合の除塵装置１００の集塵効率の評価についても同様である。すなわち、除塵装置１００は、ユーザが居室に不在時の期間に、他の気流制御機器を使用していないケースおよび使用しているケースでそれぞれ測定される集塵量の差分が所定の範囲内であり、かつ、ユーザが空間に存在時に、他の気流制御機器を使用していないケースで測定される集塵量が他の気流制御機器を使用しているケースで測定される集塵量よりも少ない場合、他の気流制御機器を使用していないケースにおける除塵装置の使用状況が適切ではないと判定する。例えば、他の気流制御機器が発生させる気流と、除塵装置１００が発生させる気流との組み合わせが、除塵装置１００の集塵効率に対して有効に働く場合、他の気流制御機器が使用されない季節では、除塵装置１００は、集塵効率が低下するので、ユーザに対して、より適切な設置位置へ促す通知を行ってもよい。
【００９９】
また、本実施の形態は、他の気流制御機器がユーザの不在期間に使用されていない状態を想定しているが、２４時間空調や２４時間換気扇など、ユーザの不在期間でも他の気流制御機器が使用されている状態においても適用することができる。例えば、１年間のように相当の長期間、他の気流制御機器が使用されている場合は、その状態が対象となる室内での定常状態と考えられるため、除塵装置１００は、実施の形態１と同様の方法により設置位置が適切かどうかを判断することができる。また別の例として、季節により、２４時間空調のような他の気流制御機器が使用されていない時期と使用されている時期とが存在する場合には、除塵装置１００は、他の気流制御機器が使用されている時期と使用されていない時期との集塵量を比較することにより、２４時間稼働の他の気流制御機器が集塵効率に有効に働いているのか、あるいは悪影響を与えているのかを判断することが可能となる。
【０１００】
（実施の形態３）
本実施の形態に係る除塵装置は、実施の形態１に係る除塵装置１００と基本構成が共通するので、図１を援用して説明する。
【０１０１】
本実施の形態では、実施の形態１または実施の形態２のような除塵装置１００の設置位置の評価に加え、除塵装置１００の送風制御の評価を行う場合について説明する。
【０１０２】
除塵装置１００の送風制御の評価とは、設定可能な送風パターン（例えば、風量、風向き、タイミング、送風時間などの組み合わせ）の各々における除塵装置１００の集塵効率を判定することである。これにより、除塵装置１００の現在の設置位置における最適な送風パターンを用いた送風をユーザに通知すること、または、最適な送風パターンへ切り替える送風制御が可能となる。
【０１０３】
以下、本実施の形態における除塵装置１００の動作について具体的に説明する。
【０１０４】
判定部１０４は、予め設定された送風パターンを用いて実施の形態１または実施の形態２と同様にして、測定した集塵量と統計データとの比較を行い、比較結果が「悪い」場合、他の送風パターンを設定して、センシング部１０１に対して集塵量を再度測定させる。そして、判定部１０４は、再度測定された集塵量と統計データとを比較する。再度測定した集塵量と統計データとの比較結果が「悪い」場合、判定部１０４は、送風パターンの再設定、および、集塵量と統計データとの比較を繰り返す。
【０１０５】
一方、測定された集塵量と統計データとの比較結果が「良い」場合、判定部１０４は、設定されている送風パターンを、除塵装置１００の現在の設置位置において適した送風パターンであると判定する。
【０１０６】
また、判定部１０４は、比較結果が「悪い」と判定されたときに設定された送風パターンの内容（送風の向き）に基づいて、除塵装置１００の周辺のレイアウトを推定する。例えば、或る方向の送風に対して「悪い」と判定した場合、判定部１０４は、当該方向に棚または壁などの障害物が存在していると判定する。そして、出力部１０５は、除塵装置１００の設置位置が適切ではないことを表示するとともに、除塵装置１００の設置位置の該方向に、集塵効率に対して悪影響を与える障害物があることを表示してもよい。
【０１０７】
このように本実施の形態では、除塵装置１００は、設置位置に加え、送風パターンを考慮した除塵装置１００の使用状況での集塵効率の評価をユーザに通知することができる。これにより、正しい知識を有さないユーザでも除塵装置１００の設置位置および送風パターンが適切であるか否かを判定することができる。これにより、除塵装置１００は塵埃除去を効率良く行うことができる。
【０１０８】
また、判定部１０４は、設定可能な送風パターンのうち、集塵量が最も多い送風パターンを、除塵装置１００の現在の設置位置において適した送風パターンとして判定してもよい。そして、除塵装置１００（例えば、図示しない送風制御部）は、判定部１０４において適切であると判定された送風パターンを用いて、送風を制御してもよい。
【０１０９】
このように、本実施の形態によれば、除塵装置１００において、センシング部１０１は、複数の送風パターンで送風を行った場合の集塵量を測定し、判定部１０４は、複数の送風パターンで測定された集塵量と、複数の送風パターンの各々と同一の使用条件の統計データとをそれぞれ比較し、複数の送風パターンの各々が適切であるか否かを判定し、出力部１０５は、適切ではないと判定された送風パターンを表示する。
【０１１０】
このようにして、除塵装置１００は、除塵装置１００の集塵量がより多くなる送風パターンを探索することで、上述した設置位置の適否の通知のみでなく、除塵装置１００の現在の設置位置における送風制御の最適化を実現し、塵埃除去を効率良く行うことができる。
【０１１１】
なお、本実施の形態は、除塵装置１００（例えば、空気清浄機）と、他の気流制御機器（例えばエアコン）とを組み合わせて気流制御を行うことで除塵装置１００の集塵効率の向上を図るような複数機器連携集塵システムに対しても適用可能である。これにより、複数機器連携集塵システムにおける除塵装置１００の設置位置の適否をユーザに通知することができ、または、除塵装置１００の送風制御を最適に設定することができる。
【０１１２】
以上、本開示の各実施の形態について説明した。
【０１１３】
なお、上記実施の形態では、除塵装置１００の集塵効率の判定結果（例えば、図５，図６を参照）として「悪い」、「標準」、「良い」の何れかである場合について説明した。しかし、除塵装置１００は、集塵効率の判定結果として、「悪い」、「標準」または「良い」を複数の段階で表してもよい。例えば、除塵装置１００は、ユーザに対して集塵効率の判定結果「悪い」の度合いを、更に細かく分類してもよい。これにより、例えば、何れに設置しても「悪い」と判定される居室のユーザに対しても、除塵装置１００は、「悪い」設置位置の中で最も良い設置位置を表示することにより、除塵装置１００の集塵効率を向上させることができる。
【０１１４】
また、上記実施の形態では、除塵装置１００が集塵ログ（集塵量）に基づいてユーザの不在期間を特定する場合について説明した。しかし、ユーザの不在期間を特定する方法はこれに限定されるものではない。例えば、除塵装置１００は、外出時および帰宅時におけるユーザからの入力によって、各々の入力操作が行われたタイミングの間の期間を不在期間として特定してもよい。または、除塵装置１００は、除塵装置１００の内部または外部に備える人感センサの検知結果に基づいてユーザの不在期間を特定してもよい。
【０１１５】
また、上記実施の形態では、除塵装置１００がおかれる使用条件毎の適切な使用状況における集塵量の推定値（つまり、判定部１０４の判定基準）として、各使用条件における統計データを用いる場合について説明した。しかし、上記判定基準となる推定値は、統計データに限定されず、例えば、計算機シミュレーションによって得られた結果でもよく、各使用条件の理想的な使用状況（理想環境）において１回のみ測定された測定データでもよい。また、除塵装置１００内の統計情報記憶部１０３に記憶されたデータだけでなく、ネットワークを経由してクラウドに接続し、クラウド内にあるデータを利用してもよい。また、家庭での利用状況をクラウドに蓄積し、統計データの精度を高めていくことも可能である。
【０１１６】
また、上記実施の形態では、除塵装置１００が居室内の塵埃を集塵している場合について説明したが、除塵装置１００が居室内の塵埃を外部に排気している場合にも上記実施の形態と同様にして除塵装置１００の集塵効率の評価が可能である。
【０１１７】
＜本開示のまとめ＞
本開示の除塵装置は、送風を行い、前記送風が行われる空間からの吸気を行うことにより前記空間中の塵埃を除塵する除塵装置であって、吸気された塵埃の濃度を示す集塵量を測定するセンシング部と、前記測定された集塵量と、前記集塵量の測定時における前記除塵装置の所定の基準を満たす使用状況での集塵量の推定値と、を比較して、前記空間における前記除塵装置の使用状況が適切であるか否かを判定する判定部と、前記判定された使用状況の適否に応じた情報を出力する出力部と、を具備する構成を採る。
【０１１８】
本開示の除塵装置において、前記除塵装置がおかれる使用条件毎の、適切な使用状況における集塵量の推定値を保持する記憶部、を更に具備し、前記判定部は、前記測定された集塵量と、前記集塵量の測定時と同一の使用条件の前記推定値とを比較して、前記除塵装置の使用状況が適切であるか否かを判定する。
【０１１９】
本開示の除塵装置において、前記推定値には、粒径が第１の閾値未満の塵埃に対する第１の推定値、および、粒径が前記第１の閾値以上の塵埃に対する第２の推定値が含まれる。
【０１２０】
本開示の除塵装置において、前記判定部は、ユーザが前記空間に不在時の第１の期間に測定された集塵量と、前記第１の推定値とを比較する。
【０１２１】
本開示の除塵装置において、前記第１の期間は、前記測定される集塵量が最小となる時間帯を含む。
【０１２２】
本開示の除塵装置において、前記判定部は、ユーザが不在の状態で前記空間に入ってきたタイミングを開始とする第２の期間に測定された集塵量と、前記第２の推定値とを比較する。
【０１２３】
本開示の除塵装置において、前記タイミングは、前記測定される集塵量が第２の閾値未満の状態から、前記測定される集塵量の瞬間的な変動量が第３の閾値以上となるタイミングである。
【０１２４】
本開示の除塵装置において、前記判定部は、ユーザが前記空間に不在になったタイミングから前記測定される集塵量が第４の閾値未満になるまでの時間と、前記送風の風量とに基づいて、前記空間の広さを推定し、前記所定期間に測定された集塵量と、前記推定した空間の広さと同一の空間の広さを含む使用条件の前記推定値とを比較して、前記除塵装置の使用状況が適切であるか否かを判定する。
【０１２５】
本開示の除塵装置において、他の気流制御機器が使用されている第１のケースにおいて、前記判定部は、ユーザが前記空間に不在時の第１の期間に、前記第１のケースおよび前記他の気流制御機器が使用されていない第２のケースでそれぞれ測定される前記集塵量の差分が所定の範囲内であり、かつ、ユーザが前記空間に存在時に、前記第１のケースで測定される前記集塵量が前記第２のケースで測定される前記集塵量よりも少ない場合、前記第１のケースにおける前記除塵装置の使用状況が適切ではないと判定する。
【０１２６】
本開示の除塵装置において、前記記録部は、前記測定された集塵量と、測定時の前記送風のパターンとを対応付けて記録し、前記判定部は、前記所定期間に測定された集塵量と、前記測定時の送風のパターンと同一のパターンを含む使用条件の前記推定値とを比較して、前記除塵装置の使用状況が適切であるか否かを判定する。
【０１２７】
本開示の除塵装置において、前記使用状況は、前記除塵装置の前記空間における設置位置である。
【０１２８】
本開示の除塵装置において、前記使用状況は前記送風のパターンであって、前記センシング部は、複数のパターンで前記送風を行った場合の前記集塵量を測定し、前記判定部は、前記複数のパターンで測定された集塵量と、前記複数のパターンの各々と同一の前記使用条件の前記推定値とをそれぞれ比較し、前記複数のパターンの各々が適切であるか否かを判定する。
【０１２９】
本開示の除塵装置において、前記判定部において適切であると判定された前記パターンを用いて、前記送風を制御する制御部を更に具備する。
【０１３０】
本開示の除塵装置において、前記ユーザが不在の期間には、他の気流制御機器が定常的に使用されている場合が含まれる。
【０１３１】
本開示の通知方法は、送風を行い、前記送風が行われる空間からの吸気を行うことにより前記空間中の塵埃を集塵する除塵装置において当該除塵装置の使用状況の適否をユーザに通知する通知方法であって、集塵された塵埃の濃度を示す集塵量を測定し、前記測定された集塵量と、前記集塵量の測定時における前記除塵装置の所定の基準を満たす使用状況での集塵量の推定値と、を比較して、前記空間における前記除塵装置の使用状況が適切であるか否かを判定し、前記判定された使用状況の適否に応じた情報を出力する。
【産業上の利用可能性】
【０１３２】
本開示の一態様は、除塵装置に対して有用である。
【符号の説明】
【０１３３】
１００  除塵装置
１０１  センシング部
１０２  集塵量記録部
１０３  統計情報記憶部
１０４  判定部
１０５  出力部
【図１】
0006653486.tif 000002
【図２】
0006653486.tif 000003
【図３】
0006653486.tif 000004
【図４】
0006653486.tif 000005
【図５】
0006653486.tif 000006
【図６】
0006653486.tif 000007
【図７】
0006653486.tif 000008